(57)【要約】【課題】転送先の記録媒体で再生可能なデータを容易に判別できるようにする。【解決手段】外部機器で再生を行う際の最高データ読み出し速度Ｓｄと、画像データを再生するために必要な読み出し速度ＰＩｓ［Ｉ］とを比較し、その比較結果に基づく情報を液晶パネル１０６に表示するようにして、ユーザにとって、外部機器のデータ転送速度で再生が保障できるシーンのみを選択して転送することができ、ユーザの使い勝手を向上させることができるようにする。【選択図】図１
2009135835.tif 000002
【特許請求の範囲】
【請求項１】
画像データを第１の記録媒体から再生する再生手段と、
前記再生手段によって再生された画像データを外部機器に送信する送信手段と、
前記外部機器で再生を行う際のデータ転送速度についての情報を取得する取得手段と、
前記取得手段によって取得された情報に基づいて、前記外部機器で再生を行う際のデータ転送速度と、前記画像データを再生するために必要なデータ転送速度とを比較する比較手段と、
前記比較手段による比較結果に基づく情報を表示部に表示する表示制御手段とを有することを特徴とする再生装置。
【請求項２】
前記表示制御手段は、前記比較結果に基づく情報として、前記外部機器で再生を行う際のデータ転送速度よりも小さいデータ転送速度の画像データを代表する代表画像を前記表示部に表示することを特徴とする請求項１に記載の再生装置。
【請求項３】
前記表示制御手段は、前記第１の記録媒体に記録されている画像データを代表する代表画像を前記表示部に表示するとともに、前記比較結果に基づく情報として、前記外部機器で再生を行う際のデータ転送速度よりも小さいデータ転送速度の画像データを代表する代表画像と、前記外部機器で再生を行う際のデータ転送速度よりも大きいデータ転送速度の画像データを代表する代表画像とを区別して表示することを特徴とする請求項１に記載の再生装置。
【請求項４】
前記表示部に表示された代表画像のうち前記外部機器に転送するための画像データに対応する代表画像を選択する選択手段を備え、
前記表示制御手段は、前記選択手段により前記外部機器で再生を行う際のデータ転送速度よりも大きいデータ転送速度の画像データに対応した代表画像が選択された場合には、前記選択された代表画像に対応した画像データを前記外部機器に送信することを確認する確認画面を前記表示部に表示することを特徴とする請求項３に記載の再生装置。
【請求項５】
前記送信手段は、前記第１の記録媒体に記録された複数の前記画像データのうち、前記外部機器で再生を行う際のデータ転送速度よりも大きいデータ転送速度の画像データを前記外部機器に対して送信することを禁止することを特徴とする請求項１〜３の何れか１項に記載の再生装置。
【請求項６】
前記外部機器で再生を行う際のデータ転送速度よりも小さいデータ転送速度の画像データと、前記外部機器で再生を行う際のデータ転送速度よりも大きいデータ転送速度の画像データとを互いに異なるディレクトリに記録するように前記外部機器に対して指示する指示手段を有することを特徴とする請求項３または４に記載の再生装置。
【請求項７】
前記取得手段は、前記外部機器で再生を行う際のデータ転送速度についての情報を前記外部機器から取得することを特徴とする請求項１〜６の何れか１項に記載の再生装置。
【請求項８】
画像データを第１の記録媒体から再生する再生手段と、
前記再生手段によって再生された画像データを前記第１の記録媒体とは異なる第２の記録媒体に記録する記録手段と、
前記第２の記録媒体から再生を行う際のデータ転送速度についての情報を前記第２の記録媒体から取得する取得手段と、
前記取得手段によって取得された情報に基づいて、前記第２の記録媒体から再生を行う際のデータ転送速度と、前記画像データを再生するために必要なデータ転送速度とを比較する比較手段と、
前記比較手段による比較結果に基づく情報を表示部に表示する表示制御手段とを有することを特徴とする再生装置。
【請求項９】
前記表示制御手段は、前記比較結果に基づく情報として、前記第２の記録媒体から再生を行う際のデータ転送速度よりも小さいデータ転送速度の画像データを代表する代表画像を前記表示部に表示することを特徴とする請求項８に記載の再生装置。
【請求項１０】
前記表示制御手段は、前記第１の記録媒体に記録されている画像データを代表する代表画像を前記表示部に表示するとともに、前記比較結果に基づく情報として、前記第２の記録媒体から再生を行う際のデータ転送速度よりも小さいデータ転送速度の画像データを代表する代表画像と、前記第２の記録媒体から再生を行う際のデータ転送速度よりも大きいデータ転送速度の画像データを代表する代表画像とを区別して表示することを特徴とする請求項８に記載の再生装置。
【請求項１１】
前記表示部に表示された代表画像のうち前記第２の記録媒体に記録するための画像データに対応する代表画像を選択する選択手段を備え、
前記表示制御手段は、前記選択手段により前記第２の記録媒体から再生を行う際のデータ転送速度よりも大きいデータ転送速度の画像データに対応した代表画像が選択された場合には、前記選択された代表画像に対応した画像データを前記第２の記録媒体に記録することを確認する確認画面を前記表示部に表示することを特徴とする請求項１０に記載の再生装置。
【請求項１２】
前記記録手段は、前記第１の記録媒体に記録された複数の前記画像データのうち、前記第２の記録媒体から再生を行う際のデータ転送速度よりも大きいデータ転送速度の画像データを前記第２の記録媒体に記録することを禁止することを特徴とする請求項８〜１０の何れか１項に記載の再生装置。
【請求項１３】
前記記録手段は、前記第２の記録媒体から再生を行う際のデータ転送速度よりも小さいデータ転送速度の画像データと、前記第２の記録媒体から再生を行う際のデータ転送速度よりも大きいデータ転送速度の画像データとを互いに異なるディレクトリに記録することを特徴とする請求項１０または１１に記載の再生装置。
【請求項１４】
前記第２の記録媒体は、ハードディスク、光ディスク、またはメモリカードであることを特徴とする請求項８〜１３の何れか１項に記載の再生装置。
【請求項１５】
被写体を撮像して前記画像データを生成する撮像手段と、
前記撮像手段によって生成された画像データを複数の記録モードから選択された記録モードで前記第１の記録媒体に記録する手段とを有することを特徴とする請求項１〜１４の何れか１項に記載の再生装置。
【請求項１６】
前記画像データは、動画像データであることを特徴とする請求項１〜１５の何れか１項に記載の再生装置。
【請求項１７】
画像データを第１の記録媒体から再生する再生工程と、
前記再生工程において再生した画像データを外部機器に送信する送信工程と、
前記外部機器で再生を行う際のデータ転送速度についての情報を取得する取得工程と、
前記取得工程において取得した情報に基づいて、前記外部機器で再生を行う際のデータ転送速度と、前記画像データを再生するために必要なデータ転送速度とを比較する比較工程と、
前記比較工程における比較結果に基づく情報を表示部に表示する表示制御工程とを有することを特徴とする再生装置の制御方法。
【請求項１８】
画像データを第１の記録媒体から再生する再生工程と、
前記再生工程において再生した画像データを前記第１の記録媒体とは異なる第２の記録媒体に記録する記録工程と、
前記第２の記録媒体から再生を行う際のデータ転送速度についての情報を前記第２の記録媒体から取得する取得工程と、
前記取得工程において取得した情報に基づいて、前記第２の記録媒体から再生を行う際のデータ転送速度と、前記画像データを再生するために必要なデータ転送速度とを比較する比較工程と、
前記比較工程における比較結果に基づく情報を表示部に表示する表示制御工程とを有することを特徴とする再生装置の制御方法。
【請求項１９】
画像データを第１の記録媒体から再生する再生工程と、
前記再生工程において再生した画像データを外部機器に送信する送信工程と、
前記外部機器で再生を行う際のデータ転送速度についての情報を取得する取得工程と、
前記取得工程において取得した情報に基づいて、前記外部機器で再生を行う際のデータ転送速度と、前記画像データを再生するために必要なデータ転送速度とを比較する比較工程と、
前記比較工程における比較結果に基づく情報を表示部に表示する表示制御工程とをコンピュータに実行させることを特徴とするプログラム。
【請求項２０】
画像データを第１の記録媒体から再生する再生工程と、
前記再生工程において再生した画像データを前記第１の記録媒体とは異なる第２の記録媒体に記録する記録工程と、
前記第２の記録媒体から再生を行う際のデータ転送速度についての情報を前記第２の記録媒体から取得する取得工程と、
前記取得工程において取得した情報に基づいて、前記第２の記録媒体から再生を行う際のデータ転送速度と、前記画像データを再生するために必要なデータ転送速度とを比較する比較工程と、
前記比較工程における比較結果に基づく情報を表示部に表示する表示制御工程とをコンピュータに実行させることを特徴とするプログラム。
【請求項２１】
請求項１９または２０に記載のプログラムを記憶したことを特徴とするコンピュータ読み取り可能な記憶媒体。
【発明の詳細な説明】
【技術分野】
【０００１】
本発明は再生装置、再生装置の制御方法、プログラム及び記憶媒体に関し、特に、記録媒体に記録されたデータを読み出して外部の記録装置等に転送するために用いて好適な技術に関する。
【背景技術】
【０００２】
従来、映像を撮影し、デジタルデータとして光ディスクやハードディスク（ＨＤＤ）などの記録媒体に対して記録再生するビデオカメラが知られている（例えば、特許文献１参照）。この様なビデオカメラのうち、特に、ＨＤＤに対して動画像データを記録再生するＨＤＤビデオカメラにおいては、ＤＶＤなどの光ディスクを用いたビデオカメラとは異なり、ＨＤＤの記録容量が一杯に満たされても容易にＨＤＤを交換することができない。
【０００３】
そのため、記録容量を確保するためには、ＨＤＤに記録されたデータを消去する必要がある。そこで、記録したデータを消去したくない場合には、外部のＨＤＤやＤＶＤなどの記録媒体にコピーする必要がある。
【０００４】
また、近年、従来の標準精細のＳＤ画像データよりも高精細なＨＤ画像データを撮影して記録するビデオカメラも登場している。ＨＤ画像データはＳＤ画像データよりもデータ量が多いため、Ｈ．２６４方式などの符号化方式によりデータ量を圧縮して記録している。
【０００５】
そして、ＨＤＤは、ＤＶＤなどの光ディスクに比べ、記録可能なデータのレート（転送レート）が高い。そのため、ＨＤ画像データを圧縮して記録する場合に、ＤＶＤに記録する場合に比べ、画像データの圧縮率を低くすることができ、より高画質な画像で記録することができる。
【０００６】
【特許文献１】特開２００７−８０４６５号公報
【発明の開示】
【発明が解決しようとする課題】
【０００７】
前述のように、ＨＤＤのような転送レートの高い記録媒体に記録した動画像データを外部の記録媒体にコピーする場合、コピー先の記録媒体の転送速度によっては、コピーした動画像データを再生できないこともある。そのため、ユーザは、撮影した動画像データの中からコピー先の記録媒体に記録する場合に、再生可能な動画像データをいちいち探し出してコピーしなければならないという問題点があった。
【０００８】
本発明は前述の問題点に鑑み、転送先の記録媒体で再生可能なデータを容易に判別できるようにすることを目的としている。
【課題を解決するための手段】
【０００９】
本発明の再生装置は、画像データを第１の記録媒体から再生する再生手段と、前記再生手段によって再生された画像データを外部機器に送信する送信手段と、前記外部機器で再生を行う際のデータ転送速度についての情報を取得する取得手段と、前記取得手段によって取得された情報に基づいて、前記外部機器で再生を行う際のデータ転送速度と、前記画像データを再生するために必要なデータ転送速度とを比較する比較手段と、前記比較手段による比較結果に基づく情報を表示部に表示する表示制御手段とを有することを特徴とする。
また、本発明の再生装置の他の特徴とするところは、画像データを第１の記録媒体から再生する再生手段と、前記再生手段によって再生された画像データを前記第１の記録媒体とは異なる第２の記録媒体に記録する記録手段と、前記第２の記録媒体から再生を行う際のデータ転送速度についての情報を前記第２の記録媒体から取得する取得手段と、前記取得手段によって取得された情報に基づいて、前記第２の記録媒体から再生を行う際のデータ転送速度と、前記画像データを再生するために必要なデータ転送速度とを比較する比較手段と、前記比較手段による比較結果に基づく情報を表示部に表示する表示制御手段とを有することを特徴とする。
【００１０】
本発明の再生装置の制御方法は、画像データを第１の記録媒体から再生する再生工程と、前記再生工程において再生した画像データを外部機器に送信する送信工程と、前記外部機器で再生を行う際のデータ転送速度についての情報を取得する取得工程と、前記取得工程において取得した情報に基づいて、前記外部機器で再生を行う際のデータ転送速度と、前記画像データを再生するために必要なデータ転送速度とを比較する比較工程と、前記比較工程における比較結果に基づく情報を表示部に表示する表示制御工程とを有することを特徴とする。
また、本発明の再生装置の制御方法の他の特徴とするところは、画像データを第１の記録媒体から再生する再生工程と、前記再生工程において再生した画像データを前記第１の記録媒体とは異なる第２の記録媒体に記録する記録工程と、前記第２の記録媒体から再生を行う際のデータ転送速度についての情報を前記第２の記録媒体から取得する取得工程と、前記取得工程において取得した情報に基づいて、前記第２の記録媒体から再生を行う際のデータ転送速度と、前記画像データを再生するために必要なデータ転送速度とを比較する比較工程と、前記比較工程における比較結果に基づく情報を表示部に表示する表示制御工程とを有することを特徴とする。
【００１１】
本発明のプログラムは、画像データを第１の記録媒体から再生する再生工程と、前記再生工程において再生した画像データを外部機器に送信する送信工程と、前記外部機器で再生を行う際のデータ転送速度についての情報を取得する取得工程と、前記取得工程において取得した情報に基づいて、前記外部機器で再生を行う際のデータ転送速度と、前記画像データを再生するために必要なデータ転送速度とを比較する比較工程と、前記比較工程における比較結果に基づく情報を表示部に表示する表示制御工程とをコンピュータに実行させることを特徴とする。
また、本発明のプログラムの他の特徴とするところは、画像データを第１の記録媒体から再生する再生工程と、前記再生工程において再生した画像データを前記第１の記録媒体とは異なる第２の記録媒体に記録する記録工程と、前記第２の記録媒体から再生を行う際のデータ転送速度についての情報を前記第２の記録媒体から取得する取得工程と、前記取得工程において取得した情報に基づいて、前記第２の記録媒体から再生を行う際のデータ転送速度と、前記画像データを再生するために必要なデータ転送速度とを比較する比較工程と、前記比較工程における比較結果に基づく情報を表示部に表示する表示制御工程とをコンピュータに実行させることを特徴とする。
【００１２】
本発明の記憶媒体は、前記の何れかに記載のプログラムを記憶したことを特徴とする。
【発明の効果】
【００１３】
本発明によれば、外部機器で再生を行う際のデータ転送速度と、画像データを再生するために必要なデータ転送速度とを比較し、その比較結果に基づく情報を表示部に表示するようにした。これにより、ユーザは、外部機器のデータ転送速度で再生が保障できるシーンのみを選択して転送することができ、ユーザの使い勝手を向上させることができる。
【発明を実施するための最良の形態】
【００１４】
（第１の実施形態）
以下、本発明の実施形態について図面を参照しながら説明する。
図１は、本実施形態のビデオカメラの内部構成例を示すブロック図である。
図１において、レンズユニット１０１は、集光のための固定レンズ群、変倍レンズ群、絞り、変倍レンズ群の動きで移動した結像位置を補正する機能と焦点調節を行う機能とを兼ね備えた補正レンズ群により構成されている。レンズユニット１０１によって、最終的に後述のＣＣＤ１０２の結像面上に被写体像が結像される。ＣＣＤ（charge coupled device）１０２、光を電荷に変換し撮像信号を生成する機能を有している。カメラ信号処理部１０３は、ＣＣＤ１０２で生成された撮像信号に所定の処理を施し、デジタル画像データを圧縮伸張回路１０４に出力する機能を有している。これらのレンズユニット１０１、ＣＣＤ１０２及びカメラ信号処理部１０３が撮像手段として機能する。
【００１５】
圧縮伸張回路１０４は、デジタル画像データを圧縮して圧縮ビデオデータを生成する機能を有している。また、圧縮伸張回路１０４は、圧縮ビデオデータが入力されると、この圧縮ビデオデータを伸張する機能も兼ね備えている。
【００１６】
マイクロコンピュータ（マイコン）１０７は、バス１１３を介してシステム全体を制御するためのものであり、フラッシュＲＯＭ１０８には、マイコン１０７が実行するプログラムなどが格納されている。また、フラッシュＲＯＭ１０８の一部領域は、バックアップ用としてシステムの状態などを保持するために使用される。また、メモリ１０９は、マイコン１０７や圧縮伸張回路１０４などがワークとして使用する揮発性メモリである。
【００１７】
記録再生制御回路１１７は、圧縮伸張回路１０４で生成された圧縮ビデオデータ（動画像データ）をＦＡＴファイルシステムなどコンピュータと互換のあるフォーマットに従って、ハードディスク（ＨＤＤ）１１２に記録する制御を行うためのものである。
【００１８】
オンスクリーンディスプレイ（ＯＳＤ）部１０５は、各種設定メニューやタイトル、時間などの情報をデジタル画像データに重畳させるためのものである。また、ＯＳＤ部１０５は表示制御手段として機能し、重畳されたデジタル画像データ等を表示部である液晶パネル１０６に出力してデジタル画像を表示させる制御も行う。
【００１９】
また、音声については、マイクユニット１１５から入力され、スピーカー１１６や図示しない外部出力経路に出力される。なお、圧縮伸張を行う際には、圧縮伸張回路１０４は画像データとともに音声データを圧縮伸張する。すなわち、前述の圧縮ビデオデータには音声データも多重化される。本実施形態ではＭＰＥＧ２方式で多重化されるものとする。
【００２０】
操作スイッチ群１１１は、ユーザが操作入力するためのものである。操作スイッチ群１１１には、カメラ撮影を行うためのカメラモード、再生させるための再生モード、及び電源オフとするパワーオフモードを選択するためのスイッチなどが設けられている。また、ＵＳＢ端子１１４は、パーソナルコンピュータ（ＰＣ）やＤＶＤドライブなどの外部機器と接続するために備えられている。ハードディスク１１２に記録されている動画像データを外部機器に送信する場合は、記録再生制御回路１１７が再生手段として機能し、ハードディスク１１２から動画像データを読み出すように制御する。そして、マイコン１０７が送信手段として機能することにより、ＵＳＢ端子１１４を経由して動画像データが外部機器に送信される。
【００２１】
さらに、本実施形態のビデオカメラ１００は、速度検出部１１８を備えている。速度検出部１１８の詳細については後述する。
【００２２】
まず、本実施形態のビデオカメラ１００による記録時の処理について説明する。
操作スイッチ群１１１における電源スイッチがユーザにより操作されると、マイコン１０７は各部を制御し、記録一時停止状態となる。そして、この記録一時停止状態において、カメラ信号処理部１０３は、ＣＣＤ１０２で生成された撮像信号からデジタル動画像データを生成し、ＯＳＤ部１０５に送る。ＯＳＤ部１０５は、カメラ信号処理部１０３で生成されたデジタル動画像データに基づいて、被写体の画像を液晶パネル１０６に表示する。
【００２３】
この記録一時停止状態において、操作スイッチ群１１１における記録トリガスイッチが操作されると、マイコン１０７は各部を制御し、記録処理を実行する。まず、カメラ信号処理部１０３は、ＣＣＤ１０２で生成された撮像信号からデジタル動画像データを生成し、フレーム毎に順次、メモリ１０９に格納する。圧縮伸張回路１０４は、メモリ１０９に格納されたデジタル動画像データを読み出し、ＭＰＥＧ方式、Ｈ．２６４方式などに従って符号化して圧縮ビデオデータ（動画像データ）を生成し、再びメモリ１０９に格納する。
【００２４】
記録再生制御回路１１７は、メモリ１０９から符号化された動画像データを読み出し、ハードディスク１１２に記録する制御を行う。そして、動画像データの記録中に、操作スイッチ群１１１における記録トリガスイッチが操作されると、マイコン１０７はハードディスク１１２への記録を停止するように記録再生制御回路１１７を制御する。
【００２５】
また、本実施形態では、ハードディスク１１２に動画像データを記録する際に、動画像の画質が異なる複数の撮影モードに切り替えることができる。そして、各撮影モードの間で、動画像データのデータレートが異なっている。すなわち、本実施形態では、高画質撮影モード、標準撮影モード、及び長時間撮影モードの３つの撮影モード（記録モード）に設定することができる。そして、高画質撮影モードにおける符号化された動画像データの目標データレートは２０Ｍｂｐｓとし、標準撮影モードにおける目標データレートを１５Ｍｂｐｓとし、長時間撮影モード時の目標データレートを９Ｍｂｐｓとする。
【００２６】
ユーザにより、操作スイッチ群１１１が操作されることによって、これらの撮影モードを設定することができる。そして、マイコン１０７は、ユーザにより選択された撮影モードに基づいて、符号化された動画像データのデータレートが各撮影モードにおける目標データレートとなるように圧縮伸張回路１０４を制御する。また、記録再生制御回路１１７は、各動画像データの撮影モードの情報（記録レート情報）を、各動画像ファイルに対応付けてハードディスク１１２に記録するように制御する。
【００２７】
図２は、ハードディスク１１２に圧縮ビデオデータを記録するときのファイル構成例を示す図である。本実施形態では、記録開始の指示から記録停止の指示までの間に記録された一連の動画像データを１つのファイルとして管理している。
図２において、２０１はルートディレクトリである。２０２は本実施形態のファイルシステムによって記録される動画像ファイル群を記録するためのディレクトリであり、"ＡＶ"という名称が付されている。さらに、"ＰＬＡＹＬＩＳＴ"という名称のディレクトリ２０３と、"ＳＴＲＥＡＭ"という名称のディレクトリ２０４と、"ＰＲＩＶＡＴＥ"という名称のディレクトリ２０５といったサブディレクトリを設けている。
【００２８】
"０００００．ＭＴＳ"から"００００４．ＭＴＳ"までのデータ群２０７はそれぞれ圧縮ビデオデータであり、"ＳＴＲＥＡＭ"という名称のディレクトリ２０４を親ディレクトリとして記録されている。また、"０００００．ＰＬ"のファイル２０６はプレイリストファイルであり、 "ＰＬＡＹＬＩＳＴ"という名称のディレクトリ２０３を親ディレクトリとして記録されている。圧縮ビデオデータはプレイリストに記述された順序で再生され、本実施形態では、このプレイリストファイルを用いて各動画像ファイルの再生動作を制御している。
【００２９】
図３は、本実施形態において、プレイリストの記述内容の一例を示す図である。
本実施形態では、データ群２０７に含まれる各ＭＴＳファイルをＰｌａｙＩｔｅｍとして管理する。図３に示すプレイリストには、ＰｌａｙＩｔｅｍの数が記述され、このＰｌａｙＩｔｅｍの数だけ情報が後続する。また、記述順に従って圧縮ビデオデータが再生される。
【００３０】
各ＰｌａｙＩｔｅｍには、ファイル番号、記録日時、ＩＮ  ＴＩＭＥ、ＯＵＴ  ＴＩＭＥについての情報を少なくとも記録されている。ファイル番号とは、ＭＴＳファイルの数字部分５文字（０００００、００００１など）を示している。ＩＮ  ＴＩＭＥ及びＯＵＴ  ＴＩＭＥは、ＭＰＥＧ２で規定されるＰＴＳ（Presentation Time Stamp）と称する再生時刻情報で示されている。
【００３１】
次に、本実施形態のビデオカメラ１００による再生時の処理について説明する。
操作スイッチ群１１１におけるモードスイッチがユーザによって操作されて、再生モードが選択されると、マイコン１０７は各部を制御し、再生動作を実行する。
【００３２】
まず、記録再生制御回路１１７の制御により、ハードディスク１１２に記録された各動画像データの代表画像データを読み出し、ＯＳＤ部１０５に送る。なお、本実施形態では、各動画像データの撮影時において、その先頭の画面（フレーム）を縮小し、代表画像データを生成してハードディスク１１２に記録している。
【００３３】
ＯＳＤ部１０５は、ハードディスク１１２から読み出された代表画像データの中から、所定数の代表画像からなる一覧画面を生成し、さらに、代表画像を選択するためのカーソルを生成して液晶パネル１０６に表示する。
【００３４】
図５は、代表画像の一覧画面の一例を示す図である。図５においては、一覧画面６０１には、６つの動画像データの代表画像を表示している。また、６０２は代表画像を選択するためのカーソルである。
【００３５】
操作スイッチ群１１１をユーザによって操作されることにより、カーソルが移動し、再生したい動画像がユーザによって選択されると、マイコン１０７は再生処理を指示する。
【００３６】
再生処理が指示されると、記録再生制御回路１１７は、ユーザによって選択された代表画像に対応する動画像データをハードディスク１１２から読み出し、メモリ１０９に格納するように制御する。そして、圧縮伸張回路１０４は、メモリ１０９に格納された動画像データを復号してその情報量を伸張し、ＯＳＤ部１０５に送る。ＯＳＤ部１０５は、再生された動画像データにおける各フレームのサイズを液晶パネル１０６に応じたサイズに変換し、液晶パネル１０６に動画像を表示する。
【００３７】
次に、ハードディスク１１２に記録された動画像データのコピー処理について説明する。本実施形態では、ＵＳＢ端子１１４を用いて外部の記録装置と接続することにより、ハードディスク１１２に記録されたデータを読み出し、外部の記録装置に転送することによって記録することができる。
【００３８】
図４は、図１に示すＵＳＢ端子１１４を介して外部機器と接続されている状態の一例を示す図である。
図４（ａ）に示す例では、ビデオカメラ５０１とＰＣ５０２とがＵＳＢケーブル５０３で接続されている。なお、ＰＣ５０２にはＤＶＤドライブ５０５が内蔵されている。また、図４（ｂ）に示す例では、ビデオカメラ５０１と外付けＤＶＤドライブ５０６とがＵＳＢケーブル５０３で接続されている。
【００３９】
本実施形態におけるハードディスク内蔵型のビデオカメラ１００では、ＤＶＤディスクなどの外部メディアに記録ファイルをコピー、または移動させることができる。図４（ａ）に示す例では、ＰＣ５０２にインストールされているアプリケーションソフトの制御によって、ビデオカメラ５０１の記録ファイルをコピーしてＤＶＤドライブ５０５に装着されているＤＶＤディスクに記録することが可能である。
【００４０】
また、図４（ｂ）に示すように外付けＤＶＤドライブ５０６と接続されている場合には、ビデオカメラ５０１、または外付けＤＶＤドライブ５０６、もしくは双方の制御ファームウエアが連携してＤＶＤディスクにデータをコピーすることが可能である。
【００４１】
本実施形態では、図４に示すように外部の記録装置と接続されている場合に、図５に示した代表画像の一覧画面６０１から、任意の代表画像をユーザが選択して外部機器にコピーするためのモード（以降コピーモード表示とする）を備えている。このコピーモード表示における処理手順の一例について、図６のフローチャートを参照しながら説明する。
【００４２】
まず、ステップＳ７０１において、コピーモード表示に遷移することにより処理を開始する。次に、ステップＳ７０２において、速度検出部１１８は取得手段として機能し、ＵＳＢ端子１１４に接続された外部機器の読み出し能力を取得する。具体的には、外部機器の最高データ読み出し速度Ｓｄを取得する。
【００４３】
次に、ステップＳ７０３において、速度検出部１１８は、検査すべきシーン（動画像データ）があるか否かを判定する。具体的には、初期値を０とする変数Ｉが総シーン数未満であるか否かを判定する。なお、変数Ｉは、１つのシーンを検査するたびにインクリメントされる値であり、総シーン数は、図５に示したように、一覧画面６０１に表示される代表画像の数を表している。この判定の結果、検査すべきシーンがある場合（変数Ｉが総シーン数未満である場合）は、ステップＳ７０４に進む。
【００４４】
次に、ステップＳ７０４において、速度検出部１１８は比較手段として機能し、検査の対象となるシーンが必要とする読み出し速度ＰＩｓ［Ｉ］と外部機器の最高データ読み出し速度Ｓｄとを比較する。なお、各動画像データの読み出し速度ＰＩｓ［Ｉ］についての情報は、圧縮ビデオデータ（動画像データ）とともに"ＳＴＲＥＡＭ"のディレクトリ２０４、または"ＰＬＡＹＬＩＳＴ"のディレクトリ２０３に格納されているものとする。この比較の結果、検査の対象となるシーンが必要とする読み出し速度ＰＩｓ［Ｉ］が外部機器の最高データ読み出し速度Ｓｄ未満である場合は、ステップＳ７０５に進む。一方、ステップＳ７０４の比較の結果、検査の対象となるシーンが必要とする読み出し速度ＰＩｓ［Ｉ］が外部機器の最高データ読み出し速度Ｓｄ以上である場合は、ステップＳ７０６に進む。
【００４５】
そして、ステップＳ７０５においては、ＯＳＤ部１０５は、代表画像をそのまま表示させるため、代表画像を選択するためのカーソルを生成し、通常表示する設定を行う。一方、ステップＳ７０６においては、ＯＳＤ部１０５は、コピー（転送）を禁止する旨が記載された代表画像を生成し、転送禁止表示する設定を行う。この時、マイコン１０７により、コピー（転送）を禁止すべきシーンの転送を禁止する制御を行う。次に、ステップＳ７０７において、速度検出部１１８は、変数Ｉを１増加させる処理を行う。
【００４６】
一方、ステップＳ７０３の判定の結果、検査すべきシーンがない場合（変数Ｉが総シーン数未満でない場合）は、ステップＳ７０８に進み、ＯＳＤ部１０５は、ステップＳ７０５またはＳ７０６で生成した代表画像を液晶パネル１０６に表示して処理を終了する。
【００４７】
図６に示す処理を行った結果、液晶パネル１０６に表示される一覧画面について、図７を参照しながら説明する。図７において、例えば、外部機器の最高データ読み出し速度Ｓｄが１８Ｍｂｐｓであったとし、記録レートが２０Ｍｂｐｓである動画像データが含まれているものとする。また、他の動画像データは標準撮影モードもしくは長時間撮影モードで撮影された動画像データであるものとする。
【００４８】
図７に示す一覧画面８０１において、最高データ読み出し速度Ｓｄを越えた動画像データの代表画像８０３、８０４がステップＳ７０６における転送禁止の対象となっており、通常表示された代表画像とは区別されている。一方、他の代表画像の動画像データは最高データ読み出し速度Ｓｄを越えないため、通常表示されている。また、８０２は代表画像を選択するためのカーソルである。なお、ステップＳ７０８において、一覧画面８０１を表示する際に、転送禁止となった代表画像には、どのようなメディアであればコピー可能であるかを示すアイコンを重畳するようにしてもよい。また、本実施形態では転送（コピー）禁止の表示を行っているが、図７に示すようにリアルタイム再生ができないことをユーザに通知するのみであってもよい。
【００４９】
図８は、コピーモード表示において、液晶パネル１０６に表示される一覧画面の他の一例を示す図である。
図８において、９０２は代表画像を選択するためのカーソルである。図８に示すように、ステップＳ７０６において、コピー（転送）を禁止する旨が記載された代表画像を生成しないで、転送禁止となった代表画像を一覧画面９０１に表示しないようにしてもよい。この場合、表示されていない動画像データはコピー先メディアでは再生できない旨の表示を行う。
【００５０】
また、図６に示したフローチャートでは、一覧画面に一度に表示できる数のシーンを対象としているが、読み出した代表画像データに対応する全てのシーンを対象としてもよい。
【００５１】
以上のように本実施形態によれば、ユーザは外部機器のメディア性能や、各シーンのビットレートを気にすることなく、外部メディアで正しく再生可能なシーンのみを選択することが可能となる。
【００５２】
なお、本実施形態においては、第１の記録媒体であるハードディスク１１２に記録された動画像データをＵＳＢ端子１１４から外部機器に転送する例について説明した。一方、ビデオカメラ１００が、例えばＳＤカードスロットを備えている場合には、第２の記録媒体であるＳＤカードスロットに装着されているＳＤカードにコピーする時も同様な処理を行うことができる。すなわち、ＳＤカードの最高データ読み出し速度Ｓｄと、シーンが必要とする読み出し速度ＰＩｓ［Ｉ］とを比較し、その比較結果を図７または図８に示す一覧画面に表示するようにしてもよい。この場合、記録再生制御回路１１７が記録手段として機能し、ＳＤカードの最高データ読み出し速度Ｓｄを超える動画像データの記録を禁止し、ＳＤカードの最高データ読み出し速度Ｓｄを超えない動画像データをＳＤカードに記録するようにする。なお、ＳＤカードだけではなく、光ディスクやハードディスク（図１に示したハードディスク１１２よりも転送レートが小さいもの）やその他のメモリカードの場合も同様である。
【００５３】
また、本実施形態のビデオカメラ１００は、全シーンを転送する全シーン選択機能を備えており、転送禁止のシーンを除いた全てのシーンを送信することができるようにしてもよい。
【００５４】
（第２の実施形態）
第１の実施形態では、コピー先メディアにおいて通常再生することを前提としていた。しかしながら、データのバックアップをとる場合、そのコピー先メディア上で必ずしも再生できなければいけないわけではない。そこで、本実施形態では、検査対象のシーンが転送禁止の対象である場合に、ユーザに再確認してから転送する例について、図９のフローチャートを参照しながら説明する。なお、本実施形態のビデオカメラの構成、ファイル構成、プレイリストの記述例については第１の実施形態と同様であるため、説明は省略する。
【００５５】
図９は、本実施形態において、再生不可の動画像データを転送する処理手順の一例を示すフローチャートである。
最初に、ステップＳ１００１において、図６に示したような手順で一覧画面が表示され、ユーザによって転送画像が選択されることにより、処理を開始する。なお、本実施形態では、再生不可の動画像データに対応する代表画像も一覧画面に表示されるものとする。
【００５６】
まず、ステップＳ１００２において、速度検出部１１８は、ユーザによって選択された代表画像に対応するシーン（動画像データ）が必要とする読み出し速度ＰＩｓ［Ｉ］と外部機器の最高データ読み出し速度Ｓｄとを比較する。この比較の結果、シーンが必要とする読み出し速度ＰＩｓ［Ｉ］が外部機器の最高データ読み出し速度Ｓｄ未満である場合は、ステップＳ１００３に進む。そして、ステップＳ１００３において、記録再生制御回路１１７は、選択された動画像データをハードディスク１１２から読み出すように制御し、マイコン１０７の制御によりＵＳＢ端子１１４を経由して外部機器に転送し、処理を終了する。
【００５７】
一方、ステップＳ１００２の比較の結果、シーンが必要とする読み出し速度ＰＩｓ［Ｉ］が外部機器の最高データ読み出し速度Ｓｄ以上である場合は、ステップＳ１００４に進む。そして、ステップＳ１００４において、ＯＳＤ部１０５は、ユーザに対して確認を行うための表示画面を表示し、マイコン１０７は、ユーザから転送する指示を受けたか否かを判断する。
【００５８】
図１０は、外部機器で再生不可の代表画像が選択された場合の確認画面の一例を示す図である。図１０に示す一覧画面１１０１は、再生保証できないシーンをあえてコピーすることを再確認する画面である。一覧画面１１０１には、「バックアップコピーしますか？」という確認表示１１０３がなされる。また、１１０２はユーザによって選択された代表画像を示している。
【００５９】
ステップＳ１００４の判断の結果、"はい"の表記ボタン１１０５がユーザによって選択されて、転送する指示を受けた場合は、ステップＳ１００５に進む。そして、ステップＳ１００５において、ステップＳ１００３と同様に、記録再生制御回路１１７は、選択された動画像データをハードディスク１１２から読み出し、マイコン１０７の制御によりＵＳＢ端子１１４を経由して外部機器に転送し、処理を終了する。一方、ステップＳ１００４の判断の結果、"いいえ"の表記ボタン１１０４がユーザによって選択されて、転送する指示を受けなかった場合は、そのまま処理を終了する。
【００６０】
なお、この場合、転送先のメディアでは再生保証ができないため、マイコン１０７が指示手段として機能し、図３に示すプレイリストに登録しないように外部機器に対して指示を出してもよい。さらに、ＭＴＳファイルのコピー先を図２に示す"ＰＲＩＶＡＴＥ"のディレクトリ２０５とし、再生可能なＭＴＳファイルが格納されるディレクトリとは異なるディレクトリに格納することにより、互換再生の対象から明確に切り離すように指示を出してもよい。
【００６１】
以上のように本実施形態によれば、再生不可のシーンであっても、ユーザの承諾を得て外部メディアにバックアップとして保存させることが可能となる。
【００６２】
また、本実施形態においても第１の実施形態と同様に、例えばＳＤカードスロットを備えている場合には、ＳＤカードスロットに装着されているＳＤカードにコピーする時も同様な処理を行うことができる。すなわち、ＳＤカードの最高データ読み出し速度Ｓｄよりも、ユーザによって選択されたシーンが必要とする読み出し速度ＰＩｓ［Ｉ］の方が大きい場合に、図１０に示す確認画面に表示するようにしてもよい。なお、ＳＤカードだけではなく、光ディスクやハードディスク（図１に示したハードディスク１１２よりも転送レートが小さいもの）やその他のメモリカードの場合も同様である。
【００６３】
（本発明に係る他の実施形態）
前述した本発明の実施形態における再生装置を構成する各手段、並びに再生装置の制御方法の各工程は、コンピュータのＲＡＭやＲＯＭなどに記憶されたプログラムが動作することによって実現できる。このプログラム及び前記プログラムを記憶したコンピュータ読み取り可能な記憶媒体は本発明に含まれる。
【００６４】
また、本発明は、例えば、システム、装置、方法、プログラムもしくは記憶媒体等としての実施形態も可能であり、具体的には、複数の機器から構成されるシステムに適用してもよいし、また、一つの機器からなる装置に適用してもよい。
【００６５】
なお、本発明は、前述した実施形態の機能を実現するソフトウェアのプログラム（実施形態では図６、９に示すフローチャートに対応したプログラム）を、システムまたは装置に直接、または遠隔から供給する場合も含む。そして、そのシステムまたは装置のコンピュータが前記供給されたプログラムコードを読み出して実行することによっても達成される場合を含む。
【００６６】
したがって、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。
【００６７】
その場合、プログラムの機能を有していれば、オブジェクトコード、インタプリタにより実行されるプログラム、ＯＳに供給するスクリプトデータ等の形態であってもよい。
【００６８】
プログラムを供給するための記憶媒体としては、例えば、フレキシブルディスク、ハードディスク、光ディスク、光磁気ディスクなどがある。さらに、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ、ＤＶＤ−Ｒ）などもある。
【００６９】
その他、プログラムの供給方法としては、クライアントコンピュータのブラウザを用いてインターネットのホームページに接続する方法がある。そして、前記ホームページから本発明のコンピュータプログラムそのもの、もしくは圧縮され自動インストール機能を含むファイルをハードディスク等の記憶媒体にダウンロードすることによっても供給できる。
【００７０】
また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【００７１】
また、その他の方法として、本発明のプログラムを暗号化してＣＤ−ＲＯＭ等の記録媒体に格納してユーザに配布し、所定の条件をクリアしたユーザに対し、インターネットを介してホームページから暗号化を解く鍵情報をダウンロードさせる。そして、その鍵情報を使用することにより暗号化されたプログラムを実行してコンピュータにインストールさせて実現することも可能である。
【００７２】
また、コンピュータが、読み出したプログラムを実行することによって、前述した実施形態の機能が実現される。さらに、そのプログラムの指示に基づき、コンピュータ上で稼動しているＯＳなどが、実際の処理の一部または全部を行い、その処理によっても前述した実施形態の機能が実現され得る。
【００７３】
さらに、その他の方法として、まず記憶媒体から読み出されたプログラムが、コンピュータに挿入された機能拡張ボードやコンピュータに接続された機能拡張ユニットに備わるメモリに書き込まれる。そして、そのプログラムの指示に基づき、その機能拡張ボードや機能拡張ユニットに備わるＣＰＵなどが実際の処理の一部または全部を行い、その処理によっても前述した実施形態の機能が実現される。
【図面の簡単な説明】
【００７４】
【図１】本発明の第１の実施形態に係るビデオカメラの構成例を示すブロック図である。
【図２】ハードディスクに圧縮ビデオデータを記録するときのファイル構成例を示す図である。
【図３】本発明の第１の実施形態において、プレイリストの記述内容の一例を示す図である。
【図４】ＵＳＢ端子を介して外部機器と接続されている状態の一例を示す図である。
【図５】代表画像の一覧画面の一例を示す図である。
【図６】本発明の第１の実施形態において、コピーモード表示における処理手順の一例を示すフローチャートである。
【図７】本発明の第１の実施形態において、コピー禁止の代表画像が表示された一覧画面の一例を示す図である。
【図８】本発明の第１の実施形態において、コピー禁止の代表画像が取り除かれた一覧画面の一例を示す図である。
【図９】本発明の第２の実施形態において、転送処理手順の一例を示すフローチャートである。
【図１０】本発明の第２の実施形態において、外部機器で再生不可の代表画像が選択された場合の確認画面の一例を示す図である。
【符号の説明】
【００７５】
１００  ビデオカメラ
１０１  レンズユニット
１０２  ＣＣＤ
１０３  カメラ信号処理部
１０４  圧縮伸張回路
１０５  ＯＳＤ部
１０６  液晶パネル
１０７  マイコン
１０８  フラッシュＲＯＭ
１０９  メモリ
１１１  操作スイッチ群
１１２  ハードディスク
１１３  バス
１１４  ＵＳＢ端子
１１５  マイクユニット
１１６  スピーカー
１１７  記録再生制御回路
１１８  速度検出部
【図１】
2009135835.tif 000003
【図２】
2009135835.tif 000004
【図３】
2009135835.tif 000005
【図４】
2009135835.tif 000006
【図５】
2009135835.tif 000007
【図６】
2009135835.tif 000008
【図７】
2009135835.tif 000009
【図８】
2009135835.tif 000010
【図９】
2009135835.tif 000011
【図１０】
2009135835.tif 000012